(57)【要約】【課題】収納時や運搬時等に梯子の側方の突出部分を無くし、収納や運搬等で必要とされるスペースを極力小さくできる梯子補助脚を提供する。【解決手段】対称位置にキー１３３を有する固定軸１３ａ、１３ｂを各梯子側板３１ａ、３１ｂの下方へ突出して軸止し、対称位置に上面開放のキー溝１４２を有し且つアーム１５ａ、１５ｂの後端に設けられた円筒１４ａ、１４ｂを固定軸１３ａ、１３ｂに周設し、キー溝１４２をキー１３３に嵌める方向へ円筒を付勢する付勢バネ１３２を設ける梯子補助脚１０であり、使用時には円筒１４ａ、１４ｂを下降してキー溝１４２とキー１３３との嵌合を解除し、アーム１５ａ、１５ｂを外側に開くように回転し、キー溝１４２を逆の位置のキー１３３に嵌め込んでアーム１５ａ、１５ｂを定置する。【選択図】図２
2006144228.tif 000002
【特許請求の範囲】
【請求項１】
各梯子側板の略下方位置に後端を取り付けられ、梯子の長手方向を軸方向として回転可能に設けられるアームと、各アームの略先端位置に設けられる着地板とを備えることを特徴とする梯子補助脚。
【請求項２】
対称位置にキーを有する固定軸が各梯子側板の下方へ突設され、対称位置に該キーと嵌合する上端開放のキー溝を有し且つ前記アームの後端に設けられた円筒が固定軸に周設され、該キーとキー溝との嵌合によりアームが固定軸に対して定置されると共に、該円筒の下降で嵌合を解除することによりアームが回転可能となることを特徴とする請求項１記載の梯子補助脚。
【請求項３】
前記キー溝をキーに嵌める方向へ円筒を付勢する付勢バネが設けられることを特徴とする請求項２記載の梯子補助脚。
【請求項４】
アーム後端の半円形の上板及び下板に該半円形の中心からアーム先端に向かって延びる長孔が形成され、長孔に各梯子側板の下方へ突設された固定軸が挿通され、長孔の先端を固定軸に付勢するバネが設けられており、長孔の先端を固定軸に当接した状態で、アームがその側面に略当接する規制部材で回転不能であると共に、長孔の後端を固定軸に当接した状態で、該半円形の半径を回転半径として回転可能であることを特徴とする請求項１記載の梯子補助脚。
【発明の詳細な説明】
【技術分野】
【０００１】
本発明は、梯子の左右方向の安定性を高める梯子補助脚に関する。
【背景技術】
【０００２】
梯子は左右方向の安定性に劣るため、梯子の上部に人が乗った場合に落下する事故等が生ずる場合がある。そのため、梯子の左右方向の安定性を確保すべく、例えば図８で示すように、着地板が左右方向へ直線的に出入りする梯子補助脚を梯子下部に設ける構成で対応している。
【０００３】
図８の梯子補助脚１は、角状筒体２の上面に梯子８の下端を固定する支持片３ａ、３ｂを設けると共に、角状筒体２内から左右へ伸縮する一対の伸縮アーム４ａ、４ｂを設け、伸縮アーム４ａ、４ｂの外端に固定した螺合筒５ａ、５ｂに高さ調整ネジ６ａ、６ｂを螺合し、高さ調整ネジ６ａ、６ｂのそれぞれの下端に着地板７ａ、７ｂを取り付ける構成であって、伸縮アーム４ａ、４ｂの伸長で接地する一対の着地板７ａ・７ｂ間の距離を広げ、左右方向の安定性を高めるものである（特許文献１、２参照）。
【０００４】
【特許文献１】実用新案登録第２５２９４３８号公報
【特許文献２】実用新案登録第３０４０６８９号公報
【発明の開示】
【発明が解決しようとする課題】
【０００５】
ところで、図８の梯子補助脚１は、梯子８の左右方向の安定性を高められると同時に、伸縮アーム４ａ、４ｂを角状筒体２の中へ縮めて収容し、嵩を小さくすることができるという利点がある。しかしながら、伸縮アーム４ａ、４ｂを角状筒体２に収容した際にも、梯子補助脚１では、高さ調整ネジ６ａ、６ｂや着地板７ａ、７ｂは梯子８の側方外側に突出してしまうため、収納時や運搬時に前記突出部分に対するスペースが必要される。そのため、収納時や運搬時に、梯子の側方の突出部分を無くし、必要なスペースを極力小さくできる梯子補助脚が求められている。
【０００６】
本発明は上記課題に鑑み提案するものであって、設置する梯子の左右方向の安定性を高められると共に、収納時や運搬時等に、梯子の側方の突出部分を無くし、収納や運搬等で必要とされるスペースを極力小さくできる梯子補助脚を提供することを目的とする。
【課題を解決するための手段】
【０００７】
本発明の梯子補助脚は、各梯子側板の略下方位置に後端を取り付けられ、梯子の長手方向を軸方向として回転可能に設けられるアームと、各アームの略先端位置に設けられる着地板とを備えることを特徴とする。前記梯子補助脚のアーム及び着地板は、設置時には回転して梯子側板の外側に配置し、収納時や運搬時等には回転して梯子側板の内側に配置し、回転で梯子側板の外側や内側に出し入れすることが可能である。
【０００８】
更に、本発明の梯子補助脚は、対称位置にキーを有する固定軸が各梯子側板の下方へ突設され、対称位置に該キーと嵌合する上端開放のキー溝を有し且つ前記アームの後端に設けられた円筒が固定軸に周設され、該キーとキー溝との嵌合によりアームが固定軸に対して定置されると共に、該円筒の下降で嵌合を解除することによりアームが回転可能となることを特徴とし、好適には、前記キー溝をキーに嵌める方向へ円筒を付勢する付勢バネを設けるとよい。
【０００９】
また、本発明の梯子補助脚は、アーム後端の半円形の上板及び下板に該半円形の中心からアーム先端に向かって延びる長孔が形成され、長孔に各梯子側板の下方へ突設された固定軸が挿通され、長孔の先端を固定軸に付勢するバネが設けられており、長孔の先端を固定軸に当接した状態で、アームがその側面に略当接する規制部材で回転不能であると共に、長孔の後端を固定軸に当接した状態で、該半円形の半径を回転半径として回転可能であることを特徴とする。前記規制部材は、例えば後述のスペーサや基台の壁面等である。
【発明の効果】
【００１０】
本発明の梯子補助脚は、設置する梯子の左右方向の安定性を高められると共に、収納時や運搬時等に、梯子の側方の突出部分完全に或いは極力無くして小さくし、収納や運搬等で必要とされるスペースを極力小さくすることが可能であり、収納や運搬等が容易になる効果がある。
【００１１】
また、キーとキー溝の嵌合及びその嵌合の取り外しにより、アームを開状態や閉状態を所定位置で安定することが可能であると共に、アームの容易な回転を確保することができる。更に、キー溝をキーに嵌める方向へ円筒を付勢する付勢バネを設けると、常時嵌合による定置状態を維持することができる。
【００１２】
また、長孔の先端を固定軸に当接した状態で、アームをその側面に略当接する規制部材で回転不能とし、長孔の後端を固定軸に当接した状態で、アーム後端の半円形の半径を回転半径として回転可能とすることで、アームを開状態や閉状態を所定位置で安定することが可能であると共に、アームの容易な回転を確保することができる。
【発明を実施するための最良の形態】
【００１３】
本発明の梯子補助脚の第１、第２実施形態について図基づき説明する。
【００１４】
先ず、第１実施形態の梯子補助脚１０は、図１〜図３に示すように、梯子側板３１ａ・３１ｂ間の略下端に架設される断面視略凹字形のチャネル部材である基台１１と、基台１１の底板の左右両端近傍上側に設けられ且つ梯子３０の対向する各梯子側板３１ａ、３１ｂの下端が嵌挿されボルト締めで締着固定された一対の嵌合片１２ａ、１２ｂと、基台１１の左右両側近傍の下側に設けられると共に各嵌合片１２ａ、１２ｂと対応する下方位置に軸止された一対の固定軸１３ａ、１３ｂと、各固定軸１３ａ、１３ｂに周設され軸支された円筒１４ａ、１４ｂと、円筒１４ａ、１４ｂに後端が連結されたアーム１５ａ、１５ｂと、アーム１５ａ、１５ｂの先端に連結されている内周に雌ねじが形成された螺合筒１６ａ、１６ｂと、外周に雄ねじが形成され螺合筒１６ａ、１６ｂに螺合されている高さ調整ネジ１７ａ、１７ｂと、高さ調整ネジ１７ａ、１７ｂの下端に固定して或いは自在継ぎ手を介して設けられた着地板１８ａ、１８ｂとを備える。
【００１５】
固定軸１３ａ、１３ｂは、下端に外方へ突出する円板状の底板１３１をそれぞれ有し、底板１３１の上面に付勢バネ１３２が載置されていると共に、略上部の左右対称位置に一対のキー１３３・１３３がボルト締めで固定されている。また、円筒１４ａ、１４ｂは、内側上部に内方へ突出する円筒状の突出部１４１をそれぞれ有し、付勢バネ１３２の上端が突出部１４１の下端を上方へ付勢することにより、円筒１４ａ、１４ｂを上方へ付勢していると共に、一対のキー１３３・１３３と対応する位置には、一対のキー１３３・１３３がそれぞれ嵌まる一対のキー溝１４２・１４２が内面に上端開放で形成されており、キー１３３がキー溝１４２に嵌まることで円筒１４ａ、１４ｂは固定軸１３ａ、１３ｂに固定されている。
【００１６】
第１実施形態の梯子補助脚１０を使用する際には、図１及び図２の２点鎖線で示すように、アーム１５ａ、１５ｂ・高さ調整ネジ１７ａ、１７ｂ・着地板１８ａ、１８ｂが梯子３０の幅方向で対向する梯子側板３１ａ・３１ｂの間に配置されている閉状態から、円筒１４ａ、１４ｂを付勢バネ１３２の付勢力に抗しながら下方に下げて一対のキー溝１４２・１４２を一対のキー１３３・１３３から外すことにより、アーム１５ａ、１５ｂを回動可能とする。
【００１７】
そして、一対のアーム１５ａ、１５ｂを固定軸１３ａ、１３ｂを中心にして外側へ回転し、円筒１４ａ、１４ｂの付勢バネ１３２による上方移動により、一対のキー溝１４２・１４２を閉状態とは逆の位置のキー１３３・１３３に嵌め込んで固定軸１３ａ、１３ｂと円筒１４ａ、１４ｂを固定し、図１及び図２の実線で示すように、アーム１５ａ、１５ｂ・高さ調整ネジ１７ａ、１７ｂ・着地板１８ａ、１８ｂを梯子３０の幅方向で梯子側板３１ａ、３１ｂの外側にそれぞれ移動して配置した開状態にし、梯子３０及び梯子補助脚１０を設置する。
【００１８】
更に、必要に応じて、高さ調整ネジ１７ａ、１７ｂが螺合筒１６ａ、１６ｂと螺合している位置を高さ調整ネジ１７ａ、１７ｂを回転して調整し、それぞれ左右の着地板１８ａ、１８ｂの高さ位置を調整して、梯子３０及び梯子補助脚１０を設置する。
【００１９】
また、梯子補助脚１０の収納時や運搬時には、前述と逆の動作で、円筒１４ａ、１４ｂを下降してキー溝１４２をキー１３３から外し、梯子側板３１ａ、３１ｂの外側に配置されているアーム１５ａ、１５ｂ・高さ調整ネジ１７ａ、１７ｂ、着地板１８ａ、１８ｂを、アーム１５ａ、１５ｂを内側へ回転することで、対向する梯子側板３１ａ・３１ｂ間に移動して配置し、円筒１４ａ、１４ｂのキー溝１４２をそれぞれ逆の位置のキー１３３に嵌め込んで閉状態とする。
【００２０】
第１実施形態の梯子補助脚１０は、接地して梯子３０を支持する一対の着地板１８ａ・１８ｂ間の距離を対向側板３１ａ・３１ｂ間の距離より広げられ、梯子３０の設置状態を左右方向に安定することができる。また、キー１３３とキー溝１４２との嵌合により、回転可能な円筒１４ａ、１４ｂやアーム１５ａ、１５ｂを開状態や閉状態の所定位置で安定して定置することが可能であり、更に、不使用時にも、キー溝１４２をキー１３３へ嵌合する方向への付勢バネ１３２の付勢で、前記定置状態を維持することができる。また、前記高さ調整機構により、例えば段差がある場所や傾斜地での使用も安定することができる。また、収納時や運搬時には、梯子３０の幅方向で梯子側板３１ａ・３１ｂより外側に突出する部分が無くなり、収納や運搬で必要とされるスペースを小さくすることができる。
【００２１】
次に、第２実施形態の梯子補助脚２０について説明する。
【００２２】
第２実施形態の梯子補助脚２０は、図４〜図７に示すように、梯子側板３１ａ・３１ｂ間の略下端に架設された断面視略凹字形のチャネル部材である基台２１と、基台２１の上板の左右両端近傍上側に設けられ且つ梯子側板３１ａ、３１ｂの下端が嵌挿されボルト締めで締着固定された一対の嵌合片２２ａ、２２ｂと、嵌合片２２ａ、２２ｂのそれぞれに対応する位置で基台１１の上板と下板間に設けられた一対の固定軸２３ａ、２３ｂと、略四角筒形のアーム２５ａ、２５ｂと、アーム２５ａ、２５ｂの先端内部に設けられ内周に雌ねじが形成された螺合部２６ａ、２６ｂと、外周に雄ねじが形成され螺合部２６ａ、２６ｂに螺合されている高さ調整ネジ２７ａ、２７ｂと、高さ調整ネジ２７ａ、２７ｂの下端に固定して或いは自在継ぎ手を介して設けられた着地板２８ａ、２８ｂとを備える。
【００２３】
アーム２５ａ、２５ｂの後端部分は半円形の上板及び下板で構成され、前記上板及び下板には、半円形部分の中心から先端方向に延びる長孔２５１ａ、２５１ｂがそれぞれ形成されており、長孔２５１ａ、２５１ｂにはそれぞれ固定軸２３ａ、２３ｂが挿通されている。更に、前記半円形部分近傍に於けるアーム２５ａ、２５ｂと基台２１の壁面との間には、その間隔と同一の厚さか極僅かに小さい厚さのスペーサ２１１が設けられている。
【００２４】
また、アーム２５ａ、２５ｂの中央より若干先端寄りの位置には、上板と下板を貫通するボルト及びナット等のバネ保持部材２５２ａ、２５２ａが固設されており、バネ保持部材２５２ａの略中央と固定軸２３ａの略中央にはバネ２５３の端部が各々取り付けられ、バネ保持部材２５２ｂの略中央と固定軸２３ｂの略中央にはバネ２５３の端部が各々取り付けられている。
【００２５】
バネ保持部材２５２ａ、２５２ｂと固定軸２３ａ、２３ｂとは、バネ２５３の引張力で常時引き寄せられ、開状態或いは閉状態に於いては、アーム２５ａ、２５ｂがその後端に向かって常時付勢され、固定軸２３ａ、２３ｂが長孔２５１ａ、２５１ｂの先端側寄りの位置Ｃ１に配置される。固定軸２３ａ、２３ｂが位置Ｃ１に配置されている場合、アーム２５ａ、２５ｂの回転には、固定軸２３ａ、２３ｂの中心から前記半円形の末端部分までの回転半径が必要となるが、スペーサ２１１がアーム２５ａ、２５ｂ側面へ略当接することにより、前記半円形部分の半径とほぼ同一か僅かに大きい固定軸２３ａ、２３ｂの中心からスペーサ２１１までの距離だけしか回転半径は確保されていないため、必要な回転半径が得られず、アーム２５ａ、２５ｂの回転は規制され、開状態或いは閉状態で安定して定置される。
【００２６】
第２実施形態の梯子補助脚２０を使用する際には、アーム２５ａ、２５ｂが梯子側板３１ａ・３１ｂ間に配置されている閉状態から、アーム２５ａ、２５ｂをバネ２５３の付勢に抗して内方へ引っ張り、固定軸２３ａ、２３ｂを長孔２５１ａ、２５１ｂの後端側寄りの位置Ｃ２、即ち半円形部分の中心に配置する。固定軸２３ａ、２３ｂを位置Ｃ２に配置した場合、アーム２５ａ、２５ｂの回転半径は前記半円形部分の半径と同一となり、アーム２５ａ、２５ｂを回転することが可能になるため、前記配置状態で固定軸２３ａ、２３ｂを中心にしてアーム２５ａ、２５ｂを外側へ回転する。そして、アーム２５ａ、２５ｂへの外力を解除すると、バネ２５３の引張力により、アーム２５ａ、２５ｂはその後端に向かって或いは梯子補助脚２０の中心に向かって引き寄せられ、固定軸２３ａ、２３ｂは長孔２５１ａ、２５１ｂの先端側寄りの位置Ｃ１に配置され、開状態が維持される。梯子補助脚２０を開状態にした梯子３０及び梯子補助脚２０は地面に設置して使用される。尚、第１実施形態と同様に、必要に応じて螺合部２６ａ、２６ｂと螺合する高さ調整ネジ２７ａ２７ｂを回転して高さを調整することが可能である。
【００２７】
また、梯子補助脚２０の収納時や運搬時には、前述と逆の動作で、アーム２５ａ、２５ｂをバネ２５３の付勢に抗して外方へ引っ張り、固定軸２３ａ、２３ｂを長孔２５１ａ、２５１ｂの位置Ｃ２に配置してアーム２５ａ、２５ｂを内側へ回転し、外力を解除してバネ２５３の引張力で固定軸２３ａ、２３ｂを長孔２５１ａ、２５１ｂの位置Ｃ１に位置させ、閉状態とする。
【００２８】
第２実施形態の梯子補助脚２０も、接地して梯子３０を支持する一対の着地板２８ａ・２８ｂ間の距離を対向側板３１ａ・３１ｂ間の距離より広げられ、梯子３０の設置状態を左右方向に安定することができる。また、バネ２５３による固定軸２３ａ、２３ｂの長孔２５１ａ、２５１ｂの位置Ｃ１への配置により、アーム２５ａ、２５ｂを開状態や閉状態の所定位置で安定して定置することができる。また、前記高さ調整機構により、例えば段差がある場所や傾斜地での使用も安定することができる。また、収納時や運搬時には、梯子３０の幅方向で梯子側板３１ａ・３１ｂより外側に突出する部分が完全に或いは極力無くなり、収納や運搬で必要とされるスペースを小さくすることができる。
【産業上の利用可能性】
【００２９】
本発明は、梯子の補助脚として利用することができる。
【図面の簡単な説明】
【００３０】
【図１】第１実施形態の梯子補助脚の平面図。
【図２】第１実施形態の梯子補助脚の正面図。
【図３】第１実施形態の梯子補助脚の右側面図。
【図４】第２実施形態の梯子補助脚の平面図。
【図５】第２実施形態の梯子補助脚の正面図。
【図６】第２実施形態の梯子補助脚の左側面図。
【図７】第２実施形態の梯子補助脚に於ける左半分の一部横断平面図。
【図８】梯子補助脚の従来例を示す正面図。
【符号の説明】
【００３１】
１０、２０  梯子補助脚
１１、２１  基台
１２ａ、１２ｂ、２２ａ、２２ｂ  嵌合片
１３ａ、１３ｂ、２３ａ、２３ｂ  固定軸
１３１  底板
１３２  付勢バネ
１３３  キー
１４ａ、１４ｂ  円筒
１４１  突出部
１４２  キー溝
１５ａ、１５ｂ、２５ａ、２５ｂ  アーム
１６ａ、１６ｂ  螺合筒
２６ａ、２６ｂ  螺合部
１７ａ、１７ｂ、２７ａ、２７ｂ  高さ調整ネジ
１８ａ、１８ｂ、２８ａ、２８ｂ  着地板
２１１  スペーサ
２５１ａ、２５１ｂ  長孔
２５２ａ、２５２ｂ  バネ保持部材
２５３  バネ
３０  梯子
３１ａ、３１ｂ  梯子側板
Ｃ１、Ｃ２  長孔内の位置
【図１】
2006144228.tif 000003
【図２】
2006144228.tif 000004
【図３】
2006144228.tif 000005
【図４】
2006144228.tif 000006
【図５】
2006144228.tif 000007
【図６】
2006144228.tif 000008
【図７】
2006144228.tif 000009
【図８】
2006144228.tif 000010